(57)【要約】【課題】契約駐車場の効率的な利用を可能とする駐車場管理方法、駐車場管理装置、駐車場、駐車場管理プログラム及び記録媒体の提供を目的とする。【解決手段】契約駐車場の駐車スペースの貸し出しを管理する駐車場管理方法であって、前記契約駐車場の空いている駐車スペースの数を認識する空きスペース数認識手順と、前記空きスペース数認識手順において認識された、空いている駐車スペースの数に基づいて、前記契約駐車場における常時空いている駐車スペースの数を超える数の前記駐車スペースの時間貸しの可否を判断する時間貸し可否判断手順とを有することにより上記課題を解決する。【選択図】　　　　図１
2004139452.tif 000002
【特許請求の範囲】
【請求項１】
契約駐車場の駐車スペースの貸し出しを管理する駐車場管理方法であって、
前記契約駐車場の空いている駐車スペースの数を認識する空きスペース数認識手順と、
前記空きスペース数認識手順において認識された、空いている駐車スペースの数に基づいて、前記契約駐車場における常時空いている駐車スペースの数を超える数の前記駐車スペースの時間貸しの可否を判断する時間貸し可否判断手順とを有することを特徴とする駐車場管理方法。
【請求項２】
前記時間貸し可否判断手順は、前記空きスペース数認識手順において認識された、空いている駐車スペースの数が所定値以上の場合に前記時間貸しが可能であると判断することを特徴とする請求項１記載の駐車場管理方法。
【請求項３】
前記駐車場管理方法は、前記契約駐車場の契約車の駐車台数の推移における前記契約車の駐車台数が増加傾向にある期間内において、前記空きスペース数認識手順において認識された、空いている駐車スペースの数が前記所定値以下となった場合に、前記期間内において前記常時空いている駐車スペースの数を超える数の前記駐車スペースの新規の前記時間貸しの終了を判断する時間貸し終了判断手順を更に有することを特徴とする請求項１又は２記載の駐車場管理方法。
【請求項４】
前記時間貸し終了判断手順は、前記時間貸しにより駐車している車の平均駐車時間及び前記所定値に基づいて、前記常時空いている駐車スペースの数を超える数の前記駐車スペースの前記期間内の新規の前記時間貸しの終了を判断することを特徴とする請求項３記載の駐車場管理方法。
【請求項５】
前記所定値は、前記契約駐車場における前記時間貸しにより駐車している車の駐車台数と前記契約車の駐車台数との合計が前記駐車場の最大収容台数を超えないように、前記時間貸しにより駐車している車の平均駐車時間及び、前記契約車の入庫の平均間隔時間に基づいて定めることを特徴とする請求項２乃至６いずれか一項記載の駐車場管理方法。
【請求項６】
前記契約駐車場は、契約が駐車スペースに固定されていない機械式駐車場であることを特徴とする請求項１乃至５いずれか一項記載の駐車場管理方法。
【請求項７】
契約駐車場の駐車スペースの貸し出しを管理する駐車場管理装置であって、
前記契約駐車場の空いている駐車スペースの数を認識する空きスペース数認識手段と、
前記空きスペース数認識手段が認識した空いている駐車スペースの数に基づいて、前記契約駐車場における常時空いている駐車スペースの数を超える数の前記駐車スペースの時間貸しの可否を判断する時間貸し可否判断手段とを有することを特徴とする駐車場管理装置。
【請求項８】
契約されている駐車スペースの貸し出しを管理する駐車場管理装置を有する駐車場であって、
前記駐車場管理装置は、前記駐車場の空いている駐車スペースの数を認識する空きスペース数認識手段と、
前記空きスペース数認識手段が認識した空いている駐車スペースの数に基づいて、前記契約駐車場における常時空いている駐車スペースの数を超える数の前記駐車スペースの時間貸しの可否を判断する時間貸し可否判断手段とを有することを特徴とする駐車場。
【請求項９】
前記契約駐車場の空いている駐車スペースの数を認識する空きスペース数認識手順と、
前記空きスペース数認識手順において認識された、空いている駐車スペースの数に基づいて、前記契約駐車場における常時空いている駐車スペースの数を超えるの前記駐車スペースの時間貸しの可否を判断する時間貸し可否判断手順とコンピュータに実行させるための駐車場管理プログラム。
【請求項１０】
前記契約駐車場の空いている駐車スペースの数を認識する空きスペース数認識手順と、
前記空きスペース数認識手順において認識された、空いている駐車スペースの数に基づいて、前記契約駐車場における常時空いている駐車スペースの数を超える数の前記駐車スペースの時間貸しの可否を判断する時間貸し可否判断手順とコンピュータに実行させるための駐車場管理プログラムを記録した記録媒体。
【発明の詳細な説明】
【０００１】
【発明の属する技術分野】
本発明は、駐車場の管理方法に関し、特に契約駐車場を時間貸しするための管理方法に関する。
【０００２】
【従来の技術】
有料駐車場は、一般に時間貸し駐車場と月極駐車場のような契約駐車場とに大別される。時間貸し駐車場は、利用したい際にその場で利用料を支払って利用するものであり、買い物場所やレジャー先等で多く見受けられる。一方契約駐車場は、予め契約を結ぶことにより継続的に利用することを目的としたもので、住宅地や駅前等で多く見受けられる。
【０００３】
契約駐車場は、時間貸し駐車場と異なりいつでも必ず駐車できることが保障されることが利用者にとって大きな利点である。
【０００４】
【発明が解決しようとする課題】
しかしながら、利用効率においては、様々な利用者が入れ替わり利用する時間貸し駐車場に対し、利用者が固定している契約駐車場は格段に低い。即ち、住宅地近辺にある契約駐車場は、日中はその契約車が通勤等に使われて出庫してしまうため、かなりの空きスペースができる。それにも係わらず契約車以外の車は駐車できないため、駐車したい車があったとしても駐車することができないという問題がある。
【０００５】
本発明は、上記の点に鑑みてなされたものであって、契約駐車場の効率的な利用を可能とする駐車場管理方法、駐車場管理装置、駐車場、駐車場管理プログラム及び記録媒体の提供を目的とする。
【０００６】
【課題を解決するための手段】
そこで上記課題を解決するため、本発明は、契約駐車場の駐車スペースの貸し出しを管理する駐車場管理方法であって、前記契約駐車場の空いている駐車スペースの数を認識する空きスペース数認識手順と、前記空きスペース数認識手順において認識された、空いている駐車スペースの数に基づいて、前記契約駐車場における常時空いている駐車スペースの数を超える数の前記駐車スペースの時間貸しの可否を判断する時間貸し可否判断手順とを有することを特徴とする。
【０００７】
このような駐車場管理方法では、契約駐車場において常時空いている駐車スペースの数を超える数の駐車スペースの時間貸しを行うことが可能であるため、契約駐車場の効率的な利用を可能とすることができる。
【０００８】
また、本発明は、前記時間貸し可否判断手順は、前記空きスペース数認識手順において認識された、空いている駐車スペースの数が所定値以上の場合に前記時間貸しが可能であると判断することを特徴とする。
【０００９】
このような駐車場管理方法では、空いている駐車スペースの数に所定数の余裕を保ちながら時間貸しを行うため、契約車が駐車できなくなるという事態が発生する可能性を低く抑えることができる。
【００１０】
また、本発明は、前記駐車場管理方法は、前記契約駐車場の契約車の駐車台数の推移における前記契約車の駐車台数が増加傾向にある期間内において、前記空きスペース数認識手順において認識された、空いている駐車スペースの数が前記所定値以下となった場合に、前記期間内において前記常時空いている駐車スペースの数を超える数の前記駐車スペースの新規の前記時間貸しの終了を判断する時間貸し終了判断手順を更に有することを特徴とする。
【００１１】
このような駐車場管理方法では、契約駐車場に契約車が帰ってくる時間帯において、空いているスペースの数が所定数以下となったら新規の時間貸しを終了するため、契約車が駐車できなくなるという事態が発生する可能性を低く抑えることができる。
【００１２】
また、本発明は、前記時間貸し終了判断手順は、前記時間貸しにより駐車している車の平均駐車時間及び前記所定値に基づいて、前記常時空いている駐車スペースの数を超える数の前記駐車スペースの前記期間内の新規の前記時間貸しの終了を判断することを特徴とする
このような駐車場管理方法では、時間貸しにより駐車している車の平均駐車時間を考慮して、空いている駐車スペースの余裕が無くならないように新規の時間貸しを終了するため、契約車が駐車できなくなるという事態が発生する可能性を低く抑えることができる。
【００１３】
また、本発明は、前記所定値は、前記契約駐車場における前記時間貸しにより駐車している車の駐車台数と前記契約車の駐車台数との合計が前記駐車場の最大収容台数を超えないように、前記時間貸しにより駐車している車の平均駐車時間及び、前記契約車の入庫の平均間隔時間に基づいて定めることを特徴とする。
【００１４】
このような駐車場管理方法では、契約駐車場における時間貸しにより駐車している車の駐車台数と契約車の駐車台数との合計が前記駐車場の最大収容台数を超えないように、かつ時間貸しにより駐車している車の平均駐車時間及び契約車の入庫の平均駐車時間に基づいて求めた所定値の数の空きスペースが保てるように時間貸しを行うため、契約車が駐車できなくなるという事態が発生する可能性を低く抑えることができる。
【００１５】
また、本発明は、前記契約駐車場は、契約が駐車スペースに固定されていない機械式駐車場であることを特徴とする。
【００１６】
このような駐車場管理方法では、契約が駐車スペースに固定されていないため、任意の駐車スペースを時間貸しに利用することができ、契約駐車場の効率的な利用を可能とすることができる。
【００１７】
また上記課題を解決するため、本発明は、上記駐車場管理方法での処理を実現する装置、前記装置を有した駐車場、又は上記駐車場管理方法をコンピュータに行なわせるためのプログラム及び記録媒体としてもよい。
【００１８】
【発明の実施の形態】
以下、図面に基づいて本発明の実施の形態を説明する。
【００１９】
図１は、本発明の実施の形態における駐車場システムの例を示す図である。図１の駐車場システム１は、駐車場管理サーバ１０と、駐車場コントロール装置２０と、駐車場３０とが例えばＬＡＮ等のネットワーク５０により接続されている。また、駐車場コントロール装置４０には、駐車場の空き情報を表示するパネル４０が接続されている。
【００２０】
駐車場３０は、任意のパレットが入り口に移動し、そのパレットの上に車を配置することにより駐車を行う機械式駐車場であり、パレットの移動方式によってパズル式（水平循環式）、平面往復式、多層循環式、水平循環式等の種類がある。従って、契約車と駐車スペースは契約により関連付けられておらず、任意の契約車が駐車する駐車スペースは任意である。
【００２１】
駐車場コントロール装置２０は、駐車場３０のパレットの動作やパネル４０の表示等を制御する。
【００２２】
駐車場管理サーバ１０は、普段は契約駐車場として利用されている駐車場３０を契約車以外の車に時間貸しするための処理を実行する。
【００２３】
次に、駐車場管理サーバ１０の詳細について説明する。図２は、本発明の実施の形態における駐車場管理サーバのハードウェア構成例を示す図である。図２の駐車場管理サーバ１０は、それぞれバスＢで相互に接続されているドライブ装置１００と、記憶媒体１０１と、補助記憶装置１０２と、メモリ装置１０３と、演算処理装置１０４と、インタフェース装置１０５とを有するように構成される。
【００２４】
インタフェース装置１０５は例えばモデム、ルータ等で構成され、図１のネットワーク５０に接続するために用いられる。
【００２５】
駐車場管理サーバ１０が利用する駐車場管理サーバプログラムは、ＣＤ―ＲＯＭ等の記憶媒体１０１によって提供される。駐車場管理サーバプログラムを記録した記憶媒体１０１は、ドライブ装置１００にセットされ、駐車場管理サーバプログラムが記憶媒体１０１からドライブ装置１００を介して補助記憶装置１０２にインストールされる。
【００２６】
補助記憶装置１０２は、インストールされた駐車場管理サーバプログラムを格納すると共に、必要なファイルやデータ等を格納する。例えば補助記憶装置１０２は、駐車場管理サーバプログラムの処理に必要な、後述するテーブル等を格納している。
【００２７】
メモリ装置１０３は、駐車場管理サーバ１０の起動時等、駐車場管理サーバプログラムの起動指示があった場合に、補助記憶装置１０２から駐車場管理サーバプログラムを読み出して格納する。演算処理装置１０４は、メモリ装置１０３に格納された駐車場管理サーバプログラムに従って駐車場管理サーバ１０に係る機能を実行する。
【００２８】
次に、駐車場管理サーバ１０による駐車場３０の時間貸しの可否判断の考え方について説明する。図３は、時間貸し可否判断の考え方を説明するための図である。図３において、グラフ５００の横軸５０１の単位は時間であり、縦軸５０２及び縦軸５０３の単位は車の台数である。なお、縦軸５０３は曲線５１２及び５１３に対するものであり、縦軸５０２は曲線５１１やその他の車の台数に関するパラメータに対するものである。
【００２９】
パラメータＸ１は、駐車場３０の最大収容台数を示している。パラメータＸ２は、駐車場３０の最大収容台数と契約数との差であり、すべての契約車が駐車場３０に駐車してもなお空いている駐車スペースの数を示している。従ってＸ２は常時空いている駐車スペースであり、即ち常時時間貸しが可能な台数（以下「常時時間貸し可能数」という。）を示している。パラメータＸ３は、契約車の時間の推移における駐車台数の変動幅を示している。パラメータＸ４は、駐車場３０に常時駐車している契約車数を示している。
【００３０】
なお、以下の説明において常時時間貸し可能台数の範囲内での時間貸しを「常時時間貸し」という。また、常時時間貸し可能台数を超えて更に時間貸しすることを「臨時時間貸し」といい、臨時時間貸しが可能な台数を「臨時時間貸し可能台数」、実際に臨時時間貸しによって駐車している数を「臨時時間貸し車数」という。更に、常時時間貸し、臨時時間貸しを含めて説明する場合は、単に時間貸しという。但し、「常時時間貸し」と「臨時時間貸し」は、利用者からみれば駐車場３０を時間貸しで利用できるという点ではなんら変わりはない。
【００３１】
曲線５１１は、駐車場３０に駐車している契約車数の推移を示している。曲線５１１より、契約車数の駐車台数はｔ１の時点を境に徐々に減少し、ｔ４の時点を境にして徐々に増加し、ｔ２を境に再び減少するのが分かり、ｔ１からｔ２の間で一つの周期となっている。これは例えば、ｔ１の時点は早朝であり、徐々に契約車が出勤のために出庫し始め、ｔ４を境に徐々に帰ってくる（入庫する）というケースが相当する。
【００３２】
曲線５１２は、臨時時間貸し可能台数を示す曲線であり、曲線５１１をパラメータＮ１分だけ縦軸５０２に沿って平行移動したものである。即ち、臨時時間貸し可能台数は、Ｎ１台分の余裕をもって決めている。これは、契約車の入庫ペースが、時間貸しにより駐車している車（以下「時間貸し車」という。）の出庫するペースを上回った場合を考慮してのものである。
【００３３】
曲線５１３は、実際の臨時時間貸し車数の推移を示したものである。
【００３４】
以上に基づいて、本発明の実施の形態においては、曲線５１１の一周期毎に臨時時間貸しの開始タイミング、終了タイミングについて以下のように定める。
【００３５】
開始タイミングは、ｔ１以降において駐車場３０の空きスペース数がＸ２＋Ｎ１となったｔ１＋Ｔ１の時点とする。これは、上述したように臨時時間貸しにＮ１台分だけ余裕をもたせるためである。その後、常に空きスペースにＮ１台の余裕を持たせて駐車場３０への入退場を管理する。
【００３６】
終了タイミングは、曲線５１１の最低点を認識した後において、曲線５１２と曲線５１３とが接するｔ３の時点、又は一周期の終点であるｔ２の時点からＮ１×Ｈ１（時間貸し平均駐車時間）の時間だけ遡った時点（以下、「臨時時間貸し締切時間」という。）のうちいずれか早い時点とし、それ以降はｔ２まで臨時時間貸しによる入庫は許可しないこととする。但し、常時時間貸しは継続して行うことはできる。
【００３７】
次に駐車場管理サーバ１０の機能構成例について説明する。図４は、本発明の実施の形態における駐車場管理サーバの機能構成例を示す図である。駐車場管理サーバ１０は、開始時刻監視手段１１と、時間貸し開始手段１２と、終了時刻監視手段１３と、時間貸し終了手段１４と、稼動状況管理手段１５等から構成される。
【００３８】
開始時刻監視手段１１は、図３のグラフ５００におけるｔ１の時点を検知すると、時間貸し開始手段１２を起動する。
【００３９】
時間貸し開始手段１２は、グラフ５００におけるｔ１からｔ４の期間の駐車場３０の時間貸しを管理する。
【００４０】
終了時刻監視手段１３は、グラフ５００におけるｔ４の時点を検知すると、時間貸し終了手段１４を起動する。
【００４１】
時間貸し終了手段１４は、グラフ５００におけるｔ４からｔ２の期間の駐車場３０の時間貸しを管理すると共に、その期間内での新規の時間貸しの終了を判断する。
【００４２】
稼動状況管理手段１５は、上述した各手段からログ情報等を受信する等、駐車場システム１の稼動状況を管理する。
【００４３】
以下、図１に示されるの駐車場システム１が駐車場３０の臨時時間貸しをおこなう際の処理手順に図４、図３等を参照しながら説明する。先ず、図３のグラフ５００においてｔ１からｔ４の間の処理、即ち契約車の駐車数が減少傾向にある期間内の処理について説明する。図５は、臨時時間貸し開始処理を説明するためのフローチャートである。
【００４４】
ステップＳ１０において、駐車場管理サーバ１０の開始時刻監視手段１１は、図３のグラフ５００におけるｔ１の時刻を検知すると時間貸し開始手段１２を起動する。ここで開始時刻監視手段１１は、図６に示す臨時時間貸し管理テーブルを参照することによりｔ１を認識することができる。
【００４５】
図６は、臨時時間貸し管理テーブルの例を示す図である。図６の時間貸し管理テーブル１１０には、ｔ１の時間と、ｔ２の時間と、ｔ４の時間とが格納されている。それぞれの値は、駐車場３０に駐車している契約車数の推移を駐車場コントロール装置２０において採取しておき、採取したデータから導き出した曲線５１１に基づいて決定しておく。
【００４６】
なお、この時点（Ｓ１０）において、開始時刻監視手段１１は、常時時間貸しが可能であれば、即ち時間貸しによって駐車している車の台数が常時時間貸し可能数より少なければパネル４０の表示を「空車」に、そうでなければパネル４０の表示を「満車」にする旨の要求を送信する。要求を受信した駐車場コントロール装置３０は、パネル４０の表示を「空車」又は「満車」とする。
【００４７】
ステップＳ１０に続いてステップＳ１１に進み、駐車場３０において車が入庫、あるいは出庫されると、その旨が駐車場コントロール装置３０から駐車場管理サーバ１０に送信され、時間貸し開始手段１２は、駐車場３０における時間貸し車数を計算する。
【００４８】
ステップＳ１１に続いてステップＳ１２に進み、時間貸し開始手段１２は、新たに入庫した車も含めて時間貸し車数が常時時間貸し可能数に達しているかどうかを判断する。達していない場合はステップＳ１５に進み、時間貸し開始手段１２は、常時時間貸しが可能であるためパネル４０の表示を「空車」とする。時間貸し車数が常時時間貸し可能数に達している場合はステップＳ１３に進む。
【００４９】
ステップＳ１３において、時間貸し開始手段１２は、駐車場３０の空きスペース数を計算する。
【００５０】
ステップＳ１３に続いてステップＳ１４に進み、時間貸し開始手段１２は、空きスペースの数を図３のＮ１と比較することにより、臨時時間貸しが可能であるかどうかを判断する。空きスペースの数がＮ１より小さい場合、時間貸し開始手段１２は、臨時時間貸しは不可能と判断し、パネル４０の表示を「満車」とする（Ｓ１６）。空きスペースの数がＮ１以上の場合は、時間貸し開始手段１２は、臨時時間貸しは可能と判断し、パネル４０の表示を「空車」とする（Ｓ１５）。
【００５１】
以降、時間貸し開始手段１２は、ステップＳ１１からの処理を図３のグラフ５００におけるｔ４の時刻になるまで実行する。なお、時間貸し開始手段１２は、ｔ４の時刻については、臨時時間貸し管理テーブル１１０を参照することにより認識する。
【００５２】
次に、図３のグラフ５００においてｔ４からｔ２の間の処理、即ち契約車の駐車数が増加傾向にある期間内の処理について説明する。図５は、臨時時間貸し終了処理を説明するためのフローチャートである。
【００５３】
ステップＳ２０において、駐車場管理サーバ１０の終了時刻監視手段１４は、図３のグラフ５００におけるｔ４の時刻を検知すると時間貸し終了手段１５を起動する。ここで終了時刻監視手段１４は、臨時時間貸し管理テーブル１１０を参照することによりｔ４を認識することができる。
【００５４】
ステップＳ２０に続いてステップＳ２１に進み、駐車場３０において車が入庫、あるいは出庫されると、その旨が駐車場コントロール装置３０から駐車場管理サーバ１０に送信される。時間貸し終了手段１５は、駐車場３０における時間貸し車数を計算する。
【００５５】
ステップＳ２２及びステップＳ２３において、時間貸し終了手段１５は、現在の時刻が、臨時時間貸し締切時間に達しているかどうかを判断する。既に臨時時間貸し締切時間になっている場合はステップＳ２８に進み、時間貸し終了手段１５はｔ２までの臨時時間貸しを終了する。まだ、臨時時間貸し締切時間になっていない場合は、ステップＳ２４に進む。
【００５６】
ステップＳ２４において、時間貸し終了手段１５は、時間貸し車数が常時時間貸し可能数に達しているかどうかを判断する。達していない場合はステップＳ２７に進み、時間貸し終了手段１５は、常時時間貸しが可能であるためパネル４０の表示を「空車」とする。時間貸し車数が常時時間貸し可能数に達している場合はステップＳ２５に進む。
【００５７】
ステップＳ２５において、時間貸し終了手段１５は、駐車場３０の空きスペース数を計算する。
【００５８】
ステップＳ２５に続いてステップＳ２６に進み、時間貸し終了手段１５は、空きスペースの数を図３のＮ１と比較することにより、臨時時間貸しが可能であるかどうかを判断する。空きスペースの数がＮ１以下の場合、時間貸し終了手段１５は、臨時時間貸しは不可能と判断し、パネル４０の表示を「満車」として以降、ｔ２までの臨時時間貸しを終了する（Ｓ２８）。但し、以降において時間貸し数が常時時間貸し可能数以内である限り、常時時間貸しは可能である。
【００５９】
上述したように、本発明による駐車場システム１によれば、契約駐車場において常時空いている駐車スペースの数を超えて時間貸しを行うことができ、契約駐車場を効率的に利用することが可能となる。また、契約車の駐車台数が増加傾向にある期間内においては、ある程度の安全を見て臨時時間貸しを終了させてしまうため、契約車の駐車スペースが足りなくなるという事態が発生する可能性を低く抑えることができる。
【００６０】
なお、以下においてＮ１の決定方法の一例について図３を参照して説明する。
【００６１】
Ｈ２：駐車場３０の契約車が入庫してくる平均時間間隔
ｎ：臨時時間貸しの時間貸実車数
Ｔ４：ｔ４の時点からｔ２の時点までの時間
ｎ１：ｔ４の時点から契約車の入庫数
ｎ２：ｔ４の時点から時間貸し車の出庫数
と定義すると、ｔ２の時点からのグラフの立ち上がりは、以下を満足する必要がある。
【００６２】
ｎ１＋（ｎ−ｎ２）＜Ｘ３
ここで、ｎ１＝Ｔ４／Ｈ２、ｎ２＝Ｔ４／Ｈ１、ｎ＝Ｘ３−Ｎ１を代入すると、上記の不等式は以下のようになる。
【００６３】
Ｔ４／Ｈ２＋（（Ｘ３−Ｎ１）−Ｔ４／Ｈ１）＜Ｘ３
これをＮ１について解くと、以下のようになる。
【００６４】
Ｔ４／Ｈ２−Ｔ４／Ｈ１＜Ｎ１
従って、例えば、Ｔ４を一時間、Ｈ２を１０分、Ｈ１を２０分とすると、Ｎ１は以下の通りとなる。
【００６５】
６０／１０−６０／２０＜Ｎ１
３＜Ｎ１
以上、本発明の好ましい実施例について詳述したが、本発明は係る特定の実施形態に限定されるものではなく、特許請求の範囲に記載された本発明の要旨の範囲内において、種々の変形・変更が可能である。
【００６６】
【発明の効果】
上述の如く、本発明によれば、契約駐車場において常時空いている駐車スペースの数を超える数の駐車スペースの時間貸しを行うことが可能であるため、契約駐車場の効率的な利用を可能とすることができる。
【図面の簡単な説明】
【図１】本発明の実施の形態における駐車場システムの例を示す図である。
【図２】本発明の実施の形態における駐車場管理サーバのハードウェア構成例を示す図である。
【図３】時間貸しの可否判断の考え方を説明するための図である。
【図４】本発明の実施の形態における駐車場管理サーバの機能構成例を示す図である。
【図５】臨時時間貸し開始処理を説明するためのフローチャートである。
【図６】時間貸し管理テーブルの例を示す図である。
【図７】臨時時間貸し終了処理を説明するためのフローチャートである。
【符号の説明】
１　　駐車場システム
１０　　駐車場管理サーバ
１１　　開始時刻監視手段
１２　　時間貸し開始手段
１３　　終了時刻監視手段
１４　　時間貸し終了手段
１５　　稼動状況管理手段
２０　　駐車場コントロール装置
３０　　駐車場
４０　　パネル
５０　　ネットワーク
１００　　ドライブ装置
１０１　　記憶媒体
１０２　　補助記憶装置
１０３　　メモリ装置
１０４　　演算処理装置
１０５　　インタフェース装置
１１０　　時間貸し管理テーブル
Ｂ　　バス
【図１】
2004139452.tif 000003
【図２】
2004139452.tif 000004
【図３】
2004139452.tif 000005
【図４】
2004139452.tif 000006
【図５】
2004139452.tif 000007
【図６】
2004139452.tif 000008
【図７】
2004139452.tif 000009